(57)【特許請求の範囲】
【請求項１】
相手側コネクタの相手側ハウジングに嵌合可能なハウジングと、このハウジングに保持される複数のコンタクトとを備えているコネクタにおいて、
前記複数のコンタクトは、対の高速伝送用信号コンタクトと、高速伝送用グランドコンタクトと、非高速伝送用コンタクトとを含み、
前記対の高速伝送用信号コンタクト、前記高速伝送用グランドコンタクト及び前記非高速伝送用コンタクトは、それぞれ前記相手側コネクタの相手側コンタクトの接触部に接触可能な接触部と、接続対象物に接続される接続部とを有し、
前記対の高速伝送用信号コンタクトの接触部と前記高速伝送用グランドコンタクトの接触部とは、コネクタ嵌合方向に対して直交するコンタクト配列方向へ一列に並び、
前記対の高速伝送用信号コンタクトの接触部は、前記コンタクト配列方向で隣接する前記高速伝送用グランドコンタクトの接触部間に配置され、
前記非高速伝送用コンタクトの接触部は前記コンタクト配列方向へ一列に並び、
前記対の高速伝送用信号コンタクトの接触部と前記高速伝送用グランドコンタクトの接触部とで形成される列と、前記非高速伝送用コンタクトの接触部で形成される列とは、平行であり、
前記対の高速伝送用信号コンタクトの接続部と前記高速伝送用グランドコンタクトの接続部とは、前記コンタクト配列方向へ一列に並び、
前記対の高速伝送用信号コンタクトの接続部は、前記コンタクト配列方向で隣接する前記高速伝送用グランドコンタクトの接続部間に配置され、
前記非高速伝送用コンタクトの接続部は前記コンタクト配列方向へ二列に並び、
前記対の高速伝送用信号コンタクトの接続部と前記高速伝送用グランドコンタクトの接続部とで形成される列と、前記非高速伝送用コンタクトの接続部で形成される列とは、平行であり、
前記対の高速伝送用信号コンタクトの接続部と前記高速伝送用グランドコンタクトの接続部とで形成される列は、前記非高速伝送用コンタクトの接続部で形成される列に対して、前記ハウジング嵌合方向の後方に配置され、
前記非高速伝送用コンタクトの接続部は、前記ハウジング嵌合方向で前記対の高速伝送用信号コンタクト及び前記高速伝送用グランドコンタクトの接触部と接続部との間に位置し、
前記非高速伝送用コンタクトの接続部は、千鳥状に配置され、
前記対の高速伝送用信号コンタクトの接続部と前記高速伝送用グランドコンタクトの接続部とは、それぞれ表面実装型の平面形状を有し、
前記非高速伝送用コンタクトの接続部は、スルーホール挿入型のピン形状を有し、
前記対の高速伝送用信号コンタクトの接続部と前記高速伝送用グランドコンタクトの接続部とが、それぞれ前記ハウジングの外へ突き出ていることを特徴とするコネクタ。
【発明の詳細な説明】
【技術分野】
【０００１】
この発明はコネクタに関し、特に信号の高速伝送に適したコネクタに関する。
【背景技術】
【０００２】
従来、３種類のコンタクトとそのコンタクトを保持するインシュレータとそのインシュレータを覆うレセプタクルシェルとを備えるレセプタクルコネクタが知られている（下記特許文献１参照）。
【０００３】
３種類のコンタクトには高速伝送用の信号コンタクトＳとグランドコンタクトＧと非高速伝送用のコンタクトＤとが含まれる。３種類のコンタクトは、それぞれ相手側コネクタの相手側コンタクトの接触部に接触可能な接触部とプリント基板上のパッドに半田付け可能な端子部とを有する。
【０００４】
接触部は上下２列に配置されている。上段の列の１つのＧとその下方に位置する１対のＳ、Ｓとで１組の高速伝送用のコンタクト群が構成されるとともに、下段の列の１つのＧとその上方に位置する１対のＳ、Ｓとで１組の高速伝送用のコンタクト群が構成される。
【０００５】
端子部はインシュレータの幅方向（コンタクト配列方向）に沿って一列に配置されている。１つのＧとその両側の１対のＳ、Ｓとで１組の高速伝送用のコンタクト群が構成される。
【０００６】
上述の接触部の配置において、上段の列の右端の信号コンタクトＳのペアだけがグランドコンタクトＧにはさまれていない。その結果、他のペアの信号コンタクトとの間で伝送特性のバラツキが生じるとともに、斜め下に位置する他のペアの信号コンタクトとの間でクロストークが発生する虞がある。
【０００７】
また、端子部の配置において、隣り合うコンタクト群の信号コンタクトが隣接するので、その間でクロストークが発生する虞がある。
【０００８】
更に、端子部がインシュレータの幅方向に沿って１列に並んでいるので、コネクタが大型化するという問題がある。
【０００９】
本願発明者はそれらの問題を解決するためのコネクタを発明し、本願出願人はその発明を特許出願した。
【００１０】
このコネクタでは、対の高速伝送用信号コンタクトの接触部と高速伝送用グランドコンタクトの接触部とは、コネクタ嵌合方向に対して直交するコンタクト配列方向へ一列に並び、対の高速伝送用信号コンタクトの接触部は、コンタクト配列方向で高速伝送用グランドコンタクトと隣接する高速伝送用グランドコンタクトとの接触部間に配置されている。
【００１１】
非高速伝送用コンタクトの接触部はコンタクト配列方向へ一列に並び、対の高速伝送用信号コンタクトの接触部と高速伝送用グランドコンタクトの接触部とで形成される列と、非高速伝送用コンタクトの接触部で形成される列とは、平行である。
【００１２】
したがって、伝送特性のバラツキやクロストークが抑制される。
【００１３】
また、対の高速伝送用信号コンタクトの接続部と高速伝送用グランドコンタクトの接続部とは、コンタクト配列方向へ一列に並び、対の高速伝送用信号コンタクトの接続部は、コンタクト配列方向で高速伝送用グランドコンタクトと隣接する高速伝送用グランドコンタクトとの接続部間に配置されている。
【００１４】
非高速伝送用コンタクトの接続部はコンタクト配列方向へ並び、対の高速伝送用信号コンタクトの接続部と高速伝送用グランドコンタクトの接続部とで形成される列と、非高速伝送用コンタクトの接続部で形成される列とは、平行である。
【００１５】
したがって、伝送特性のバラツキが抑制されるとともに、コネクタの小型化を図ることができる。
【特許文献１】特開２００２−３３４７４８号公報
【発明の開示】
【発明が解決しようとする課題】
【００１６】
非高速伝送用コンタクトの接続部は表面実装型の平面形状を有し、プリント基板のパッドにリフロー半田付けされ得るが、その接続部はハウジング嵌合方向で対の高速伝送用信号コンタクト及び高速伝送用グランドコンタクトの接触部と接続部との間であって、ハウジングの下に位置するので、半田付け状態を確認（目視）することができない。
【００１７】
また、コネクタをリペアするためそのコネクタをプリント基板から外すとき、高速伝送用信号コンタクト及び高速伝送用グランドコンタクトの接続部はハウジングから外へ突き出しており、接続部に直接半田ゴテを当てることはできるが、非高速伝送用コンタクトの接続部はハウジングの下に位置しており、接続部に直接半田ゴテを当てることは難しい。したがって、非高速伝送用コンタクトの接続部をプリント基板のパッドから外すことが難しい。
【００１８】
接続部に直接半田ゴテを当てる代わりに、取り外そうとするコネクタが実装されたプリント基板をリフロー炉に入れて、半田を溶かす方法も考えられるが、その方法はプリント基板に実装されたコネクタ以外の電子部品の半田付部も溶かすため、電子部品が動く等の悪影響を与えるおそれがあるため、半田を溶かす方法として不適当である。
【００１９】
したがって、結局コネクタをプリント基板から外すことは実際上困難であり、コネクタをリペアするにはプリント基板を取り外してリペアするしかなかった。
【００２０】
このように、特許出願した発明のコネクタには、半田付け状態を確認したり、コネクタを容易に取り外したりすることができないという問題があることに発明者は気付いた。
【００２１】
この発明はこのような事情に鑑みてなされたもので、その課題は、半田付け状態を確認したり、コネクタを容易に取り外したりすることができるコネクタを提供することである。
【課題を解決するための手段】
【００２２】
前述の課題を解決するため請求項１の発明は、相手側コネクタの相手側ハウジングに嵌合可能なハウジングと、このハウジングに保持される複数のコンタクトとを備えているコネクタにおいて、前記複数のコンタクトは、対の高速伝送用信号コンタクトと、高速伝送用グランドコンタクトと、非高速伝送用コンタクトとを含み、前記対の高速伝送用信号コンタクト、前記高速伝送用グランドコンタクト及び前記非高速伝送用コンタクトは、それぞれ前記相手側コネクタの相手側コンタクトの接触部に接触可能な接触部と、接続対象物に接続される接続部とを有し、前記対の高速伝送用信号コンタクトの接触部と前記高速伝送用グランドコンタクトの接触部とは、コネクタ嵌合方向に対して直交するコンタクト配列方向へ一列に並び、前記対の高速伝送用信号コンタクトの接触部は、前記コンタクト配列方向で隣接する前記高速伝送用グランドコンタクトの接触部間に配置され、前記非高速伝送用コンタクトの接触部は前記コンタクト配列方向へ一列に並び、前記対の高速伝送用信号コンタクトの接触部と前記高速伝送用グランドコンタクトの接触部とで形成される列と、前記非高速伝送用コンタクトの接触部で形成される列とは、平行であり、前記対の高速伝送用信号コンタクトの接続部と前記高速伝送用グランドコンタクトの接続部とは、前記コンタクト配列方向へ一列に並び、前記対の高速伝送用信号コンタクトの接続部は、前記コンタクト配列方向で隣接する前記高速伝送用グランドコンタクトの接続部間に配置され、前記非高速伝送用コンタクトの接続部は前記コンタクト配列方向へ二列に並び、前記対の高速伝送用信号コンタクトの接続部と前記高速伝送用グランドコンタクトの接続部とで形成される列と、前記非高速伝送用コンタクトの接続部で形成される列とは、平行であり、前記対の高速伝送用信号コンタクトの接続部と前記高速伝送用グランドコンタクトの接続部とで形成される列は、前記非高速伝送用コンタクトの接続部で形成される列に対して、前記ハウジング嵌合方向の後方に配置され、前記非高速伝送用コンタクトの接続部は、前記ハウジング嵌合方向で前記対の高速伝送用信号コンタクト及び前記高速伝送用グランドコンタクトの接触部と接続部との間に位置し、前記非高速伝送用コンタクトの接続部は、千鳥状に配置され、前記対の高速伝送用信号コンタクトの接続部と前記高速伝送用グランドコンタクトの接続部とは、それぞれ表面実装型の平面形状を有し、前記非高速伝送用コンタクトの接続部は、スルーホール挿入型のピン形状を有し、前記対の高速伝送用信号コンタクトの接続部と前記高速伝送用グランドコンタクトの接続部とが、それぞれ前記ハウジングの外へ突き出ていることを特徴とする。
【００２３】
上述のように、非高速伝送用コンタクトの接続部はスルーホール挿入型のピン形状を有するので、接続部を半田付けしたとき、その半田付け状態を確認することができる。また、接続部のスルーホールから突出した部分を半田ゴテ等で直接加熱することができるので、コネクタを容易に取り外すことができる。
【発明の効果】
【００２４】
この発明によれば、半田付け状態を確認したり、コネクタを容易に取り外したりすることができる。
【発明を実施するための最良の形態】
【００２５】
以下、この発明の実施の形態を図面に基づいて説明する。
【００２６】
図１Ａはこの発明の第１実施形態のコネクタの正面図、図１Ｂは同コネクタの側面図、図１Ｃは同コネクタの背面図、図２は図１ＣのII−II線に沿う断面図、図３は図１に示すコネクタを背面から見たときのコンタクトの接触部の配置を示す概念図、図４は図１に示すコネクタを底面から見たときのコンタクトの端子部の配置を示す概念図、図５Ａは図１に示すコネクタの非高速伝送用のコンタクトの展開形状を示す斜視図、図５Ｂは図５Ａに示すコンタクトに曲げ加工を施した状態を示す斜視図、図５Ｃは図５Ｂに示すコンタクトの側面図、図６は図１に示すコネクタが実装されるプリント基板の一部の平面図である。
【００２７】
図１Ａ〜図２に示すように、コネクタ１はハウジング３と複数のコンタクト５とシェル７とを備える。
【００２８】
ハウジング３は樹脂で形成されている。ハウジング３は底板部３１と後壁部３２と側壁部３３と保持部３４と突出部３５とを有する。底板部３１は板状であり、その底面には１対の位置決め用ボス３６が形成されている。位置決め用ボス３６は図６に示すプリント基板２１の位置決め孔２１ｄに挿入される。後壁部３２は底板部３１の後部に連結されている。後壁部３２の前面と後面のそれぞれには所定間隔に複数の圧入溝３２ｂ，３２ａが形成されている。圧入溝３２ａ，３２ｂはハウジング３の高さ方向Ｈ（コンタクト配列方向Ｃと嵌合・離脱方向Ａとに直交する方向）へ延びている。２つの側壁部３３は後壁部３２のそれぞれ両側部に連結されている。保持部３４は板状であり、後壁部３２に連結されている。保持部３４はハウジング３の後述する相手側コネクタ２０１の相手側ハウジング２０３（図７Ａ，図７Ｂ，図８参照）に対する嵌合・離脱方向（コネクタ嵌合方向）Ａに沿って延び、底板部３１と平行である。突出部３５は後壁部３２、両方の側壁部３３及び保持部３４にそれぞれ連結されている。突出部３５によってインピーダンスの値が調整される。インピーダンスの値の調整のために突出部３５には孔３５ａが形成されている。
【００２９】
コンタクト５には、高速伝送用のコンタクトと非高速伝送用のコンタクトが含まれる。高速伝送用のコンタクトには、第１信号コンタクト（高速伝送用信号コンタクト）５１と第２信号コンタクト（高速伝送用信号コンタクト）５２とグランドコンタクト（高速伝送用グランドコンタクト）５３とが含まれる。それらのコンタクト５１，５２，５３はそれぞれハウジング３に所定間隔に配置されている。隣接する第１信号コンタクト５１と第２信号コンタクト５２との間隔は隣接する第２信号コンタクトとグランドコンタクト５３との間隔よりも大きい。非高速伝送用のコンタクトには、非高速伝送用コンタクト５４と非高速伝送用コンタクト５４´とが含まれる。非高速伝送用コンタクト５４と非高速伝送用コンタクト５４´とは交互にハウジング３に等間隔に配置されている。第１信号コンタクト５１と第２信号コンタクト５２とで対の高速伝送用信号コンタクトが構成される。対の高速伝送用信号コンタクト５１，５２と１つのグランドコンタクト５３とでデファレンシャル信号伝送用の１組のコンタクト群が構成される。
【００３０】
第１信号コンタクト５１は接触部５１ａと固定部５１ｂと連結部５１ｃと端子部（接続部）５１ｄとを有し、弾性を有する金属板に打抜き加工及び曲げ加工を施すことによって形成されている。接触部５１ａは相手側のコネクタ２０１の第１信号コンタクト２５１（図７Ａ参照）に接触する。接触部５１ａは保持部３４の上面に配置されている。固定部５１ｂはモールドイン成型法によってハウジング３に埋め込まれている。固定部５１ｂは嵌合離脱方向Ａへ延びている。連結部５１ｃは固定部５１ｂと端子部５１ｄとを連結する。端子部５１ｄは連結部５１ｃに連結されている。端子部５１ｄは表面実装タイプであり、プリント基板２１上のパッド２１ａ（図６参照）に半田付けされる。
【００３１】
第２信号コンタクト５２は第１信号コンタクト５１と同形状であるので、便宜上、図２において、第２信号コンタクト５２に関する符号（５２ａ〜５２ｄ）を第１信号コンタクト５１に関する符号（５１ａ〜５１ｄ）の横に括弧書きする。第２信号コンタクト５２は接触部５２ａと固定部５２ｂと連結部５２ｃと端子部（接続部）５２ｄとを有し、弾性を有する金属板に打抜き加工及び曲げ加工を施すことによって形成されている。接触部５２ａは相手側コネクタ２０１の第２コンタクト２５２（図７Ａ参照）に接触する。接触部５２ａは保持部３４の上面に配置されている。固定部５２ｂはモールドイン成型法によってハウジング３に埋め込まれている。固定部５２ｂは嵌合離脱方向Ａへ延びている。連結部５２ｃは固定部５２ｂと端子部５２ｄとを連結する。端子部５２ｄは連結部５２ｃに連結されている。端子部５２ｄは表面実装タイプの平面形状を有し、プリント基板２１上のパッド２１ａ（図６参照）に半田付けされる。
【００３２】
グランドコンタクト５３は第１信号コンタクト５１と同形状であるので、便宜上、図２において、グランドコンタクト５３に関する符号（５３ａ〜５３ｄ）を第１信号コンタクト５１に関する符号（５１ａ〜５１ｄ）の横に括弧書きする。グランドコンタクト５３は接触部５３ａと固定部５３ｂと連結部５３ｃと端子部（接続部）５３ｄとを有し、弾性を有する金属板に打抜き加工及び曲げ加工を施すことによって形成されている。接触部５３ａは相手側コネクタ２０１のグランドコンタクト２５３（図７Ａ参照）に接触する。接触部５３ａは保持部３４の上面に配置されている。固定部５３ｂはモールドイン成型法によってハウジング３に埋め込まれている。固定部５３ｂは嵌合離脱方向Ａへ延びている。連結部５３ｃは固定部５３ｂと端子部５３ｄとを連結する。端子部５３ｄは連結部５３ｃに連結されている。端子部５３ｄは表面実装タイプの平面形状を有し、プリント基板２１上のパッド２１ａ（図６参照）に半田付けされる。
【００３３】
非高速伝送用コンタクト５４は接触部５４ａと圧入部（固定部）５４ｂと連結部５４ｃと端子部（接続部）５４ｄと配置変換部５４eと抜け止め部５４ｆとを有し、弾性を有する金属板に打抜き加工及び曲げ加工を施すことによって形成されている。接触部５４ａは相手側コネクタ２０１の非高速伝送用コンタクト２５４（図７Ａ参照）に接触する。接触部５４ａは保持部３４の下面に配置されている。圧入部５４ｂはハウジング３の圧入溝３２ｂに圧入されている。連結部５４ｃは接触部５４ａと圧入部５４ｂとを連結する。端子部５４ｄはスルーホール挿入型のピン形状を有し、プリント基板２１のスルーホール２１ｂ（図６参照）に挿入され、半田付けされる。配置変換部５４ｅは圧入部５４ｂと端子部５４ｄとを連結する。配置変換部５４ｅは後方へ折れ曲がり、端子部５４ｄの圧入部５４ｂに対する端子部５４ｄの位置（嵌合・離脱方向Ａの位置）を変える。端子部５４ｄは圧入部５４ｂよりも後方に位置している。抜け止め部５４ｆは保持部３４の溝３４ａに挿入され、接着剤等によって保持部３４に固定される。
【００３４】
非高速伝送用コンタクト５４´は配置変換部５４ｅ´を除き、コンタクト５４と同様の構成を有する。配置変換部５４ｅ´は前方へ折れ曲がり、端子部５４ｄ´は圧入部５４ｂ´よりも前方に位置している。この結果、端子部５４ｄと端子部５４ｄ´とが嵌合・離脱方向Ａでずれているため、コネクタ１を下方から見たとき、端子部５４ｄ，５４ｄ´は千鳥状の配置になり（図４参照）、各端子部５４ｄ，５４ｄ´を仮想直線で結ぶと１つのジグザグ曲線が形成される。端子部５４ｄ，５４ｄ´はプリント基板２１のスルーホール２１ｂに挿入され、半田付けされる。スルーホール２１ｂは端子部５４ｄ，５４ｄ´の千鳥状の配置に合わせて千鳥状に配置されている。
【００３５】
本実施例の非高速伝送用コンタクト５４において、端子部５４ｄは配置変換部５４ｅにより、圧入部５４ｂよりも後方に位置（嵌合・離脱方向Ａ）しているが、非高速伝送用コンタクト５４の端子部５４ｄと非高速伝送用コンタクト５４´の端子部５４ｄ´とが千鳥状の配置であれば、端子部５４ｄの位置（嵌合・離脱方向Ａ）は圧入部５４ｂと同一の位置（嵌合・離脱方向Ａ）、あるいは前方に位置（嵌合・離脱方向Ａ）するように構成しても良い。
【００３６】
同様に、本実施例の非高速伝送用コンタクト５４´において、端子部５４ｄ´は配置変換部５４ｅ´により、圧入部５４ｂ´よりも前方に位置（嵌合・離脱方向Ａ）しているが、非高速伝送用コンタクト５４の端子部５４ｄと非高速伝送用コンタクト５４´の端子部５４ｄ´とが千鳥状の配置であれば、端子部５４ｄ´の位置（嵌合・離脱方向Ａ）は圧入部５４ｂ´と同一の位置（嵌合・離脱方向Ａ）、あるいは後方に位置（嵌合・離脱方向Ａ）するように構成しても良い。
【００３７】
図５Ａ〜図５Ｃに示すように、コンタクト５４，５４´は弾性を有する金属板に打抜き加工及び曲げ加工を施すことによって形成される。展開形状時のコンタクト５４の長さとコンタクト５４´の長さとは同じであるので、打抜き加工後の曲げ加工が容易である。打ち抜き加工後のコンタクト５４，５４´はキャリア５４ｇにつながれている。
【００３８】
曲げ加工時、コンタクト５４の配置変換部５４ｅは所定の方向へ折り曲げられ、コンタクト５４´の配置変換部５４ｅ´は所定の方向と反対の方向へ折り曲げられる（図５Ｃ参照）。曲げ加工後においても、コンタクト５４，５４´はキャリア５４ｇにつながれている。このため、コンタクト５４，５４´をハウジング３の高さ方向Ｈに沿ってハウジング３の圧入溝３２ａに圧入するとき、複数のコンタクト５４，５４´をまとめて圧入することができる。コンタクト５４，５４´の圧入部５４ｂ，５４ｂ´を圧入溝３２ａに圧入した後、キャリア５４ｇはコンタクト５４，５４´から切り離される。
【００３９】
シェル７は金属製であり、導電性を有し、図１Ａ〜図１Ｃに示すように、脚片７ａと接触片７ｂとロック片７ｃとを有する。脚片７ａはプリント基板２１のスルーホール２１ｃ（図６参照）に半田付けされ、グランドに接続される。接触片７ｂはシェル７の側面に形成された窓孔７ｄを通じて相手側コネクタ２０１の相手側シェル２０７に接触する（図７Ａ，図７Ｂ参照）。ロック片７ｃはシェル７の底面に形成された孔（図示せず）内に配置されている。ロック片７ｃは相手側コネクタ２０１の相手側シェル２０７（図７Ａ参照）に係合し、シェル７に相手側シェル２０７をロックする。
【００４０】
図３に示すように、第１、第２信号コンタクト５１，５２の接触部５１ａ，５２ａとグランドコンタクト５３の接触部５３ａとは、それぞれ嵌合・離脱方向Ａに対して直交するコンタクト配列方向Ｃへ一列に並んでいる。
【００４１】
第１、第２信号コンタクト５１，５２の接触部５１ａ，５２ａとグランドコンタクト５３の接触部５３ａとで形成される列と、コンタクト５４，５４´の接触部５４ａ，５４ａ´だけで形成される列とは、平行である。
【００４２】
対の第１、第２信号コンタクト５１，５２の接触部５１ａ，５２ａは、コンタクト配列方向Ｃで、組をなすグランドコンタクト５３の接触部５３ａと隣接する組のグランドコンタクト５３の接触部５３ａとの間に配置されている。
【００４３】
コンタクト５４，５４´の接触部５４ａ，５４ａ´はコンタクト配列方向Ｃへ一列に並んでいる。対の第１、第２信号コンタクト５１，５２とグランドコンタクト５３とで形成される列のコンタクト配列方向Ｃにおけるピッチと、コンタクト５４，５４´で形成される列のコンタクト配列方向Ｃにおけるピッチとでは異なる。
【００４４】
図４に示すように、対の第１、第２信号コンタクト５１，５２の端子部５１ｄ，５２ｄとグランドコンタクト５３の端子部５３ｄとは、コンタクト配列方向Ｃへ一列に並んでいる。
【００４５】
対の第１、第２信号コンタクト５１，５２の端子部５１ｄ，５２ｄは、コンタクト配列方向Ｃで、組をなすグランドコンタクト５３の端子部５３ｄと隣接する組のグランドコンタクト５３の端子部５３ｄとの間に配置されている。
【００４６】
コンタクト５４、５４´の端子部５４ｄ，５４ｄ´がコンタクト配列方向Ｃへ二列に並んでいる。第１、第２信号コンタクト５１，５２の端子部５１ｄ，５２ｄとグランドコンタクト５３の端子部５３ｄとで形成される列と、コンタクト５４，５４´の端子部５４ｄ，５４ｄ´で形成される２つの列とは、平行である。また、コンタクト５４の端子部５４ｄコンタクト５４´の端子部５４ｄ´とは千鳥状に配置されており、各端子部５４ｄ，５４ｄ´を仮想直線で結ぶと１つのジグザグ曲線が形成される。
【００４７】
この実施形態によれば、非高速伝送用コンタクト５４，５４´の端子部５４ｄ，５４ｄ´をスルーホール挿入型のピン形状にしたので、コネクタ１をプリント基板２１に実装した後、プリント基板２１のスルーホール２１ｂに端子部５４ｄ，５４ｄ´が確実に半田付されたかどうかを、プリント基板２１の裏面からスルーホール２１ｂ内の端子部５４ｄ，５４ｄ´を直接見て確認することができる。
【００４８】
また、プリント基板２１に実装されたコネクタ１をリペアする必要が生じた場合、スルーホール２１ｂから突出した端子部５４ｄ，５４ｄ´に直接半田ゴテ（図示せず）を当てることができる。第１信号コンタクト５１、第２信号コンタクト５２の端子部５１ｄ，５２ｄはハウジング３の後壁部３２から突出しているので、端子部５１ｄ，５２ｄに直接半田ゴテを当てることができる。その結果、コネクタ１をプリント基板２１から外すことができ、コネクタのリペアやコネクタの交換を容易に行うことができる。
【００４９】
また、高速伝送用の第１、第２信号コンタクト５１，５２の接触部５１ａ，５２ａと高速伝送用のグランドコンタクト５３の接触部５３ａとは、コンタクト配列方向Ｃへ一列に並び、対の第１、第２信号コンタクト５１，５２の接触部５１ａ，５２ａがコンタクト配列方向Ｃで隣接するグランドコンタクト５３の接触部５３ａ間に配置されるので、対となる第１、第２信号コンタクト５１，５２と他の対の第１、第２信号コンタクトとの間での伝送特性のバラツキやクロストークが抑制され、伝送劣化を防ぐことができる。
【００５０】
また、対の第１、第２信号コンタクト５１，５２の端子部５１ｄ，５２ｄがコンタクト配列方向Ｃで隣接するグランドコンタクト５３の端子部５３ｄ間に配置されるので、対となる第１、第２信号コンタクト５１，５２の端子部５１ｄ，５２ｄと、これに隣接する他の対の第１、第２信号コンタクトの５１，５２の端子部５１ｄ，５２ｄとの間でのクロストークを抑制し、伝送劣化を防ぐ。
【００５１】
更に、第１、第２信号コンタクト５１，５２の端子部５１ｄ，５２ｄとグランドコンタクト５３の端子部５３ｄとで形成される列と、コンタクト５４，５４´の端子部５４ｄ，５４ｄ´で形成される２つの列とは、平行であるので、ハウジング３のコンタクト配列方向Ｃの長さを短くすることができ、コネクタ１の小型化を図ることができる。また、コンタクト５４の端子部５４ｄとコンタクト５４´の端子部５４ｄ´とを千鳥状に配置したので、プリント基板上の隣接するパッド間の間隔を大きくすることができ、コンタクト５４，５４´を、パッド面積を大きく取る必要がある電源用のコンタクトとして使用することができる。
【００５２】
図７Ａは図１Ａに示すコネクタの相手側コネクタの正面図、図７Ｂは同コネクタの側面図、図８は図７Ａに示す相手側コネクタの一部の縦断面を示す図である。
【００５３】
相手側コネクタ２０１は第１実施形態のコネクタ１の相手側コネクタである。
【００５４】
コネクタ１では、第１、第２信号コンタクト５１，５２、グランドコンタクト５３及び非高速伝送用のコンタクト５４，５４´はそれぞれＬ字形に折り曲げられているが、相手側コネクタ２０１では、第１、第２信号コンタクト２５１，２５２、グランドコンタクト２５３及び非高速伝送用のコンタクト２５４，２５４´は直線的な形状である。
【００５５】
コネクタ１では、各コンタクト５１，５２，５３，５４，５４´の端子部（接続部）５１ｄ，５２ｄ，５３ｄ，５４ｄ，５４ｄ´がそれぞれプリント基板に実装される形状であるが、相手側コネクタ２０１では、各コンタクト２５１，２５２，２５３，２５４，２５４´の図示しない結線部がそれぞれケーブルに接続可能な形状である。
【００５６】
コネクタ１では、非高速用伝送のコンタクト５４，５４´の端子部５４ｄ，５４ｄ´は千鳥配置され、２列に並んでいるが、相手側コネクタ２０１では、コンタクト２５４，２５４´の結線部はコネクタ配列方向Ｃへ１列に並んでいる。コンタクト２５４，２５４´の結線部がコンタクト２５１，２５２，２５３の結線部と平行に並んでいる点は第１実施形態のコネクタ１と同じである。
【００５７】
コンタクト２５１，２５２，２５３，２５４，２５４´の接触部の配置は第１実施形態の接触部５１ａ，５２ａ，５３ａ，５４ａ，５４ａ´と同じである。
【００５８】
相手側シェル２０７はその前端部を除き、樹脂製のフード２０８で覆われている。
【００５９】
なお、図３、図４、図７Ａに示すように、コネクタ１，相手側コネクタ２０１では、コンタクト配列方向Ｃにおける、対の高速伝送用信号コンタクト５１，５２、２５１，２５２間の間隔は対の高速伝送用信号コンタクト５１，５２、２５１，２５２とこれらと隣接するグランドコンタクト５３，２５３との間隔よりも広いが、これらの間隔を同一間隔としてもよい。
【図面の簡単な説明】
【００６０】
【図１Ａ】図１Ａはこの発明の第１実施形態のコネクタの正面図である。
【図１Ｂ】図１Ｂは同コネクタの側面図である。
【図１Ｃ】図１Ｃは同コネクタの背面図である。
【図２】図２は図１ＣのII−II線に沿う断面図である。
【図３】図３は図１に示すコネクタを背面から見たときのコンタクトの接触部の配置を示す概念図である。
【図４】図４は図１に示すコネクタを底面から見たときのコンタクトの端子部の配置を示す概念図である。
【図５Ａ】図５Ａは図１に示すコネクタの非高速伝送用のコンタクトの展開形状を示す斜視図である。
【図５Ｂ】図５Ｂは図５Ａに示すコンタクトに曲げ加工を施した状態を示す斜視図である。
【図５Ｃ】図５Ｃは図５Ｂに示すコンタクトの側面図である。
【図６】図６は図１に示すコネクタが実装されるプリント基板の一部の平面図である。
【図７Ａ】図７Ａは図１Ａに示すコネクタの相手側コネクタの正面図である。
【図７Ｂ】図７Ｂは同コネクタの側面図である。
【図８】図８は図７Ａに示す相手側コネクタの一部の縦断面を示す図である。
【符号の説明】
【００６１】
１  コネクタ
３  ハウジング
５，２０５  コンタクト
５１，２５１  第１信号コンタクト（高速伝送用信号コンタクト）
５１ａ  接触部
５１ｄ  端子部（接続部）
５２，２５２  第２信号コンタクト（高速伝送用信号コンタクト）
５２ａ  接触部
５２ｄ  端子部（接続部）
５３、２５３  グランドコンタクト（高速伝送用グランドコンタクト）
５３ａ  接触部
５３ｄ  端子部（接続部）
５４，５４´，２５４，２５４´  コンタクト（非高速伝送用コンタクト）
５４ａ  接触部
５４ｂ  圧入部
５４ｄ  端子部（接続部）
２０１  相手側コネクタ
２０３  相手側ハウジング
Ａ  嵌合・離脱方向（コネクタ嵌合方向）
Ｃ  コンタクト配列方向
【図１Ａ】
0004459273.tif 000002
【図１Ｂ】
0004459273.tif 000003
【図１Ｃ】
0004459273.tif 000004
【図２】
0004459273.tif 000005
【図３】
0004459273.tif 000006
【図４】
0004459273.tif 000007
【図５Ａ】
0004459273.tif 000008
【図５Ｂ】
0004459273.tif 000009
【図５Ｃ】
0004459273.tif 000010
【図６】
0004459273.tif 000011
【図７Ａ】
0004459273.tif 000012
【図７Ｂ】
0004459273.tif 000013
【図８】
0004459273.tif 000014